(57)【要約】      （修正有）【課題】上吊型で施工された場合における下端側の戸厚方向への振れを抑制する下端ガイド部材の簡略化を図り得る引戸パネルを提供する。【解決手段】引戸パネル１０は、木質系材料から形成された縦桟材２０を有したパネル芯材１５と、パネル芯材１５のパネル厚さ方向両側に設けられた面材と、戸幅方向中央よりも戸先側に位置する縦桟材２０Ａに沿うように取り付けられ、長さ寸法が戸高寸法よりも小とされ、かつ上端側に片寄るように設けられた金属製の補強材２５と、を備えている。【選択図】図１
2020180471.tif 000002
【特許請求の範囲】
【請求項１】
木質系材料から形成された縦桟材を有したパネル芯材と、
該パネル芯材のパネル厚さ方向両側に設けられた面材と、
戸幅方向中央よりも戸先側に位置する縦桟材に沿うように取り付けられ、長さ寸法が戸高寸法よりも小とされ、かつ上端側に片寄るように設けられた金属製の補強材と、
を備えていることを特徴とする引戸パネル。
【請求項２】
請求項１において、
前記補強材は、引手部の取付下地と同高さにも位置するように設けられていることを特徴とする引戸パネル。
【請求項３】
請求項１または２において、
前記補強材は、上レールに案内支持される被ガイド部材の取付下地と概ね同高さに上端部が位置するように設けられていることを特徴とする引戸パネル。
【請求項４】
請求項１乃至３のいずれか１項において、
戸幅方向に間隔を空けて配された複数本の縦桟材を備えており、前記戸先側の縦桟材以外の少なくとも一本の縦桟材に沿わせて長さ寸法が戸高寸法よりも小とされた金属製の第２の補強材が上端側に片寄って取り付けられていることを特徴とする引戸パネル。
【発明の詳細な説明】
【技術分野】
【０００１】
本発明は、引戸パネルに関する。
【背景技術】
【０００２】
従来より、無垢材等からなる戸パネルに比べて軽量化が図れることから、芯材に面材を貼着した構成とされたいわゆるフラッシュパネル状の戸パネルが知られている。
例えば、下記特許文献１には、パネル芯材の両側に面材を設けた構成とされ、パネル芯材を構成する木質系材料から形成された縦桟材に、金属製の補強材を取り付けたパネルが開示されている。
【先行技術文献】
【特許文献】
【０００３】
【特許文献１】特開２０１８−１４１２９９号公報
【発明の概要】
【発明が解決しようとする課題】
【０００４】
しかしながら、上記特許文献１に記載されたパネルでは、補強材をパネル芯材の下端側に片寄らせて設けた構成とされている。そのため、上レールに吊下支持される上吊型の引戸に適用すれば、引手部に凭れ掛かった際等に下端側が戸厚方向に振れるように変形し易くなることが考えられる。このような下端側の変形を抑制するために、床側にレール部材を設けたり、多数のガイド部材を埋込状に設けたりすることも考えられるが、段差が生じ易く、また見栄え上や施工性の観点等からも更なる改善が望まれる。
【０００５】
本発明は、上記実情に鑑みてなされたものであり、上吊型で施工された場合における下端側の戸厚方向への振れを抑制する下端ガイド部材の簡略化を図り得る引戸パネルを提供することを目的としている。
【課題を解決するための手段】
【０００６】
上記目的を達成するために、本発明に係る引戸パネルは、木質系材料から形成された縦桟材を有したパネル芯材と、該パネル芯材のパネル厚さ方向両側に設けられた面材と、戸幅方向中央よりも戸先側に位置する縦桟材に沿うように取り付けられ、長さ寸法が戸高寸法よりも小とされ、かつ上端側に片寄るように設けられた金属製の補強材と、を備えていることを特徴とする。
【発明の効果】
【０００７】
本発明に係る引戸パネルは、上述のような構成としたことで、上吊型で施工された場合における下端側の戸厚方向への振れを抑制する下端ガイド部材の簡略化を図ることができる。
【図面の簡単な説明】
【０００８】
【図１】本発明の一実施形態に係る引戸パネルが備えるパネル芯材の一例を模式的に示す概略正面図である。
【図２】（ａ）は、同引戸パネルを施工した状態を模式的に示す一部破断概略正面図、（ｂ）は、同状態の一部破断概略横断面図である。
【図３】（ａ）は、同引戸パネルの一部破断概略横断面図、（ｂ）は、図１におけるＹ部に対応させた一部破断概略拡大正面図、（ｃ）は、（ｂ）におけるＸ−Ｘ線矢視に対応させた一部破断概略横断面図、（ｄ）は、同引戸パネルの一変形例を模式的に示す一部破断概略横断面図、（ｅ）は、（ｂ）に対応させた一部破断概略拡大正面図である。
【図４】本発明の他の実施形態に係る引戸パネルが備えるパネル芯材の一例を模式的に示す概略正面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係る引戸パネルを施工した状態を基準として上下方向等の方向を説明する。
【００１０】
図１〜図３は、第１実施形態に係る引戸パネルの一例及び変形例を模式的に示す図である。
本実施形態に係る引戸パネル１０は、図１及び図３（ａ）に示すように、木質系材料から形成された縦桟材２０を有したパネル芯材１５と、このパネル芯材１５のパネル厚さ方向両側に設けられた面材１１と、を備えている。つまり、引戸パネル１０は、中実板状ではなく、中空状のいわゆるフラッシュパネル状とされている。このような構成とすれば、無垢材等からなる引戸パネルに比べて軽量化を図ることができる。
この引戸パネル１０は、図２（ａ）、（ｂ）に示すように、引戸装置１を構成し、住居等の建物に設けられた出入口４を開閉する引戸として上吊型で建て付けられる。
【００１１】
引戸装置１は、この引戸パネル１０を戸幅方向にスライド自在に吊下支持する上レール５ａを備えている。図例では、上レール５ａを、戸枠を構成する上枠５に設けた例を示している。また、図例では、壁体３を貫通して設けられた出入口４の戸尻側に開放状態の引戸パネル１０が納められる袖壁を設けた例を示している。また、出入口４の戸先側を区画する戸先側縦枠６と、出入口４の戸尻側を区画する中方立（中間縦枠）８と、全開状態の引戸パネル１０の戸尻側端部が当接される戸尻側縦枠７と、を上枠５に連結して設けた例を示している。なお、図例では、上枠５の上側に天井から垂れ下がる垂れ壁を設けた例を示しているが、上枠５を天井に付設状や埋込状に設けたり、更には、上レール５ａを直接的に天井に付設状や埋込状に設けたりしてもよい。つまりは、引戸パネル１０の戸高寸法を、床２から天井までの天井高に応じた寸法としてもよい。
【００１２】
また、引戸装置１に片引き状に一枚の引戸パネル１０を設けた例を示しているが、引分状や引違状に配される複数枚の引戸パネル１０を設けた構成としてもよい。また、引戸パネル１０は、袖壁納めで建て付けられる態様に限られず、戸袋納めやアウトセット納め等の適宜の納め態様で建て付け可能である。また、戸先側縦枠６や戸尻側縦枠７、中方立８等を設けていない構成としてもよい。
上レール５ａは、戸幅方向に長尺状とされ、引戸パネル１０の上端部に設けられた被ガイド部材１３を案内支持する構成とされている。この上レール５ａとしては、詳細な図示を省略しているが、被ガイド部材１３を受け入れる下向き開口のガイド溝の上側を区画する天壁部や溝幅方向両側を区画する両側壁部、これら両側壁部の下端部から互いに向き合う方向に突出する案内片部を備えたものでもよい。
【００１３】
また、引戸装置１は、図２（ｂ）に示すように、引戸パネル１０の下端側をガイドする下端ガイド部材９を備えている。本実施形態では、閉鎖位置と全開位置とを移動する引戸パネル１０が常時上方側に存在する位置となるように、単一の下端ガイド部材９を引戸パネル１０の移動軌跡の概ね中央に位置するように設けた例を示している。図例では、中方立８の見込方向（壁厚方向）一方側に下端ガイド部材９を設けた例を示している。
この下端ガイド部材９は、引戸パネル１０の下端部に設けられた被ガイド溝１２に挿入（遊挿）されるピン状のガイド部を備えている。引戸パネル１０の下端部の被ガイド溝１２は、引戸パネル１０の下端面において下方側に向けて開口するように、かつ戸幅方向に延びるように設けられている。
【００１４】
なお、下端ガイド部材９としては、床に固定されるベース部から上方側に向けてピン状のガイド部を突出させた固定ガイドピンでもよい。また、下端ガイド部材９としては、固定ガイドピンに限られず、磁石を有したガイドピンを床に埋込状に配される収容部に対して上下方向に出没自在に設けたマグネットガイドであってもよい。この場合は、被ガイド溝１２の適所に、下端ガイド部材９に対応させて磁石や磁性体等を設けた構成としてもよい。また、下端ガイド部材９を設ける位置や個数は、図例に限られず、適宜の位置や個数としてもよい。
【００１５】
引戸パネル１０は、図２（ａ）に示すように、一方向（上下方向）に長尺な略矩形平板状とされている。
この引戸パネル１０の戸高寸法（長さ寸法）は、当該引戸パネル１０によって開閉される出入口４の開口高に応じた寸法であればよく、標準的な戸高寸法、例えば、１８００ｍｍ〜２１００ｍｍ程度でもよい。また、引戸パネル１０は、戸高寸法が天井高と略同高さ、例えば、２４００ｍｍ〜３０００ｍｍ程度とされたハイドアを構成するものでもよい。また、引戸パネル１０の戸幅（パネル幅）寸法は、出入口４の開口幅に応じて適宜の寸法としてもよく、例えば、６００ｍｍ〜１５００ｍｍ程度でもよく、比較的に大とされたものでもよく、例えば、１０００ｍｍ以上とされたものでもよい。また、引戸パネル１０の戸厚（パネル厚さ）寸法は、２０ｍｍ〜４０ｍｍ程度でもよい。
【００１６】
引戸パネル１０の被ガイド部材１３は、上端部の戸幅方向両側端部のそれぞれに設けられている。これら被ガイド部材１３，１３としては、上レール５ａの構成に応じて種々の構成とされたものでもよい。例えば、上レール５ａのガイド溝に挿入され、案内片部上を走行する転動体を備えたいわゆるランナーでもよい。また、これら被ガイド部材１３，１３は、図１に示すように、引戸パネル１０（パネル芯材１５）の上端部の戸幅方向両側端部に設けられたランナー取付下地２３，２３にねじ等の固着具によって固定されるブロック状の被取付部を備えている。これらランナー取付下地２３，２３は、引戸パネル１０の上端部の戸幅方向両側端部において戸幅方向外側及び上方側に向けて開口し、被ガイド部材１３，１３の被取付部を受け入れる凹所状の取付部（カップ部）を区画するように設けられている。
【００１７】
また、引戸パネル１０の戸先側端部の戸厚方向両側には、図２に示すように、開閉する際に操作される引手部１４，１４が設けられている。これら引手部１４，１４としては、戸厚方向両面において開口するように設けられた堀込状のものでもよいが、図例では、戸厚方向両面に付設状に設けられ、上下方向に延びる棒状（バー状）の把持部を備えたものを例示している。また、これら引手部１４，１４は、操作し易い高さとなるように、適宜の高さに設けられている。これら引手部１４，１４は、戸高方向中心が、例えば、床２から７００ｍｍ〜１０００ｍｍ程度の範囲の高さに位置するように設けられたものでもよい。図例では、これら引手部１４，１４を、戸高方向中心が引戸パネル１０の戸高方向中心よりも下方側に位置するように設けた例を示している。これら引手部１４，１４は、図１に示すように、引戸パネル１０（パネル芯材１５）の戸先側端部の戸高方向途中部位に設けられた引手取付下地２４にねじ等の固着具によって固定される。
【００１８】
また、引戸パネル１０は、図１に示すように、戸幅方向中央よりも戸先側に位置する戸先側縦桟材２０Ａに沿うように取り付けられ、長さ寸法が戸高寸法よりも小とされ、かつ上端側に片寄るように設けられた金属製の補強材２５を備えている。このような構成とすれば、補強材２５を戸高方向の全長に亘って設けたものと比べて、軽量化が図れ、また、戸高寸法の異なる複数の引戸パネル１０に対して同長さの補強材２５を用いることで、戸高寸法の異なる引戸パネル１０を容易に実現することもできる。また、この補強材２５によって当該引戸パネル１０の戸先側部位の上端側部位を補強することができ、戸高方向途中部位に設けられる引手部１４に凭れ掛かった際における下端側の戸厚方向への振れを抑制することができる。これにより、床２側にレール部材を設けたり、多数のガイド部材を埋込状に設けたりする必要性を低減することができ、引戸パネル１０の下端側をガイドする下端ガイド部材９の簡略化を図ることができ、施工性を向上させることも可能となる。例えば、本実施形態のように、閉鎖位置と全開位置とを移動する引戸パネル１０の下端側を、単一のピン状の下端ガイド部材９によってガイドする構成とすることもできる。
【００１９】
本実施形態では、補強材２５を、パネル芯材１５の戸高方向両側及び戸幅方向両側の四周を囲むように設けられた枠体を構成する四周枠１６内に設けられた戸先側縦桟材２０Ａに沿わせて設けた構成としている。
四周枠１６は、上端部に設けられた上横枠部１７と、戸幅方向両側に設けられた両側の縦枠部１９，１９と、下端部に設けられた下横枠部１８と、を備えている。
上横枠部１７及び下横枠部１８は、戸幅方向に延びるように長尺状とされている。これら上横枠部１７及び下横枠部１８は、一本からなるものに限られず、複数本が上下に接合されて構成されたものでもよい。
両側の縦枠部１９，１９は、戸高方向に延びるように長尺状とされている。これら縦枠部１９，１９は、一本からなるものに限られず、複数本が上下や戸幅方向に接合されて構成されたものでもよい。
【００２０】
また、本実施形態では、図３（ａ）に示すように、これら両側の縦枠部１９，１９の戸幅方向外側に向く外側面に、面材１１の端部が差し込まれる差込溝を全長に亘って設けた構成としている。これら戸幅方向両側の差込溝は、戸幅方向外側に向けて開口するように設けられている。面材１１は、引戸パネル１０の四周表面（戸厚方向両面及び戸幅方向両側端面）が化粧面となるようにパネル芯材１５の四周表面に貼着されている。また、面材１１は、ＭＤＦ（中密度繊維板）等の木質系ボードやガラス繊維等の強化繊維シートを含んだ繊維強化樹脂層等の基材の表面側に突板や樹脂シート等の化粧シートが貼着された構成とされたものでもよい。また、面材１１は、裏面側のパネル芯材１５の角部に応じた位置に折曲溝が設けられたものでもよい。また、図例では、パネル芯材１５の戸厚方向両側のそれぞれに設けられた二枚の面材１１，１１によって四周の化粧面を構成した例を示しているが、一枚の面材１１によって四周の化粧面を構成する態様としてもよい。この場合は、一方の縦枠部１９に差込溝を設けていない構成としてもよい。
【００２１】
これら上横枠部１７、下横枠部１８及び両側の縦枠部１９，１９の戸厚方向に沿う寸法は、戸厚方向の各面が互いに略同一平面状となるように互いに略同寸法とされている。また、図例では、上横枠部１７及び下横枠部１８の戸高方向に沿う幅寸法並びに両側の縦枠部１９，１９の戸幅方向に沿う幅寸法を、互いに略同寸法とした例を示しているが、このような態様に限られない。
また、本実施形態では、これら上下の横枠部１７，１８と両側の縦枠部１９，１９とをいわゆる縦勝状に接合した構成としている。つまり、両側の縦枠部１９，１９の上端部及び下端部の互いに向き合う内側面に上横枠部１７及び下横枠部１８の長手方向の各端面を当接させ、これら上下の横枠部１７，１８と両側の縦枠部１９，１９とを接合した構成としている。なお、上横枠部１７及び下横枠部１８と両側の縦枠部１９，１９とは、ステープル（いわゆるＵ針）等の固着具や接着剤等を用いて接合されたものでもよい。
【００２２】
また、パネル芯材１５は、戸先側縦桟材２０Ａを含み、戸幅方向に間隔を空けて配された複数本の縦桟材２０，２０を備えている。また、戸先側縦桟材２０Ａ以外の少なくとも一本の縦桟材としての戸尻側縦桟材２０Ｂに沿わせて長さ寸法が戸高寸法よりも小とされた金属製の第２の補強材２５を上端側に片寄らせて取り付けた構成としている。このような構成とすれば、戸幅方向に間隔を空けて設けられた少なくとも二本の縦桟材２０Ａ，２０Ｂに補強材２５，２５が設けられることとなり、当該引戸パネル１０の剛性を向上させることができる。本実施形態では、両側の縦枠部１９，１９間に、二本の縦桟材２０，２０（戸先側縦桟材２０Ａ及び戸尻側縦桟材２０Ｂ）を設けた構成としている。また、これら戸先側縦桟材２０Ａ及び戸尻側縦桟材２０Ｂのそれぞれに、同様の構成とされた補強材２５，２５を設けた構成としている。なお、これら戸先側縦桟材２０Ａ及び戸尻側縦桟材２０Ｂの区別を要しない場合には、縦桟材２０として説明する場合がある。
【００２３】
戸先側縦桟材２０Ａ及び戸尻側縦桟材２０Ｂは、互いに同様の構成とされ、戸高方向に延びるように長尺状とされている。これら戸先側縦桟材２０Ａ及び戸尻側縦桟材２０Ｂは、上端部が上記同様な固着具や接着剤等を用いて上横枠部１７に接合され、下端部が上記同様な固着具や接着剤等を用いて下横枠部１８に接合されている。
また、これら戸先側縦桟材２０Ａ及び戸尻側縦桟材２０Ｂは、戸幅方向中央よりもそれぞれが近接する側となる縦枠部１９，１９側に位置するように設けられている。つまり、戸先側縦桟材２０Ａは、パネル芯材１５の戸幅方向中心と戸先側の縦枠部１９との間において戸先側の縦枠部１９側に片寄るように設けられている。また、戸尻側縦桟材２０Ｂは、パネル芯材１５の戸幅方向中心と戸尻側の縦枠部１９との間において戸尻側の縦枠部１９側に片寄るように設けられている。また、図例では、これら戸先側縦桟材２０Ａ及び戸尻側縦桟材２０Ｂを、左右（戸幅方向）対称状の位置となるようにそれぞれが近接する側となる縦枠部１９，１９から略等間隔を空けて設けた例を示している。
【００２４】
また、パネル芯材１５は、戸高方向に間隔を空けて配された複数本の横桟材２１，２２を備えている。これら横桟材２１，２２は、戸先側縦桟材２０Ａと戸尻側縦桟材２０Ｂとの間に架け渡されるように設けられた中央側横桟材２１を含んでいる。また、これら横桟材２１，２２は、戸先側縦桟材２０Ａ及び戸尻側縦桟材２０Ｂとそれぞれが近接する側となる縦枠部１９，１９との間に架け渡されるように設けられた端部側横桟材２２を含んでいる。これら中央側横桟材２１と端部側横桟材２２とは、略同高さに位置するように設けられている。また、これら中央側横桟材２１及び端部側横桟材２２を、上横枠部１７と下横枠部１８との間のパネル内空間を略等分するように戸高方向に略等間隔を空けて設けた例を示している。これら中央側横桟材２１及び端部側横桟材２２の戸幅方向に沿う長手方向両端部は、それぞれの接合対象に対して上記同様な固着具や接着剤等を用いて接合されている。
【００２５】
上記した戸幅方向両側のランナー取付下地２３，２３は、左右対称状に設けられ、戸先側縦桟材２０Ａ及び戸尻側縦桟材２０Ｂのそれぞれの戸幅方向外側に位置するように設けられている。図例では、ランナー取付下地２３，２３を、上横枠部１７の下面から下方側に向けて延出するように設けられた縦桟部とこの縦桟部の下端部と各縦枠部１９，１９との間に架け渡されるように設けられた横桟部とを備えた構成としている。また、これらランナー取付下地２３，２３を、戸先側縦桟材２０Ａ及び戸尻側縦桟材２０Ｂとの間に隙間を設けて配した例を示しているが、戸先側縦桟材２０Ａ及び戸尻側縦桟材２０Ｂに当接させて接合した構成等としてもよい。なお、ランナー取付下地２３，２３としては、正面視して略Ｌ字状とされた態様に限られず、上横枠部１７と各縦枠部１９，１９との入隅部に付設状に設けられたものでもよい。
また、上記した引手取付下地２４は、戸先側縦桟材２０Ａの戸幅方向外側に位置するように設けられている。図例では、引手取付下地２４を、戸高方向略中央部に配された端部側横桟材２２の下面から下方側に向けて延出するように設けられた縦桟部とこの縦桟部の下端部と戸先側の縦枠部１９との間に架け渡されるように設けられた横桟部とを備えた構成としている。なお、引手取付下地２４としては、正面視して略Ｌ字状とされた態様に限られず、戸先側の縦枠部１９の戸幅方向中央側の内側面に沿わせるように設けられたものでもよい。また、戸尻側にも同様な引手取付下地２４を設けた構成としてもよい。
【００２６】
上記した中央側横桟材２１、端部側横桟材２２、ランナー取付下地２３及び引手取付下地２４の戸厚方向に沿う寸法は、戸厚方向の各面が互いに略同一平面状となるように互いに略同寸法とされている。
また、四周枠１６、各縦桟材２０，２０、各横桟材２１，２２、ランナー取付下地２３及び引手取付下地２４は、木質系材料から形成されている。木質系材料としては、合板やＬＶＬ（単板積層材）等の木質積層板や、ＰＢ（パーティクルボード）等の木質ボード、ＭＤＦ（中密度繊維板）やハードボード等の木質繊維板などが挙げられる。また、木質系材料としては、合成樹脂系材料に、木粉や無機フィラー、相溶化剤、着色剤などを所定の含有割合で含有させた木粉・プラスチック複合材（ＷＰＣ）であってもよい。
また、各縦桟材２０，２０及び各横桟材２１，２２によって区画された四周枠１６内の各空間に、発泡ウレタン等の発泡樹脂系材料から成形された発泡成形体やペーパーコア等のコア材を収容させた構成としてもよい。
【００２７】
戸先側縦桟材２０Ａ及び戸尻側縦桟材２０Ｂに取り付けられた補強材２５，２５は、戸高方向に延びるように長尺状とされている。本実施形態では、これら補強材２５，２５を、引手取付下地２４と同高さにも位置するように設けた構成としている。このような構成とすれば、少なくとも引手取付下地２４が設けられる箇所を含んだ上端側に片寄った部位に補強材２５，２５が設けられることとなり、開閉操作時に撓み変形し易い戸先側の下端側の戸厚方向への振れをより効果的に抑制することができる。
また、本実施形態では、補強材２５，２５を、ランナー取付下地２３，２３と概ね同高さに上端部が位置するように設けた構成としている。換言すれば、これら補強材２５，２５は、上端部を上横枠部１７に近接または当接させて設けられている。このような構成とすれば、上レール５ａに吊下支持される上端部から補強材２５，２５が設けられることとなり、上端側部位の撓み変形が効果的に抑制され、下端側の戸厚方向への振れをより効果的に抑制することができる。
【００２８】
これら補強材２５，２５の戸高方向に沿う長さ寸法は、引手取付下地１４の高さ等に応じて、また、引手部１４に戸厚方向に過度な荷重が掛けられた際における下端側の戸厚方向への振れを抑制する観点や軽量化を図る観点等から適宜の長さ寸法としてもよい。これら補強材２５，２５の戸高方向に沿う長さ寸法は、例えば、当該引戸パネル１０の戸高寸法の３／５〜１７／２０程度の寸法としてもよい。図例では、補強材２５，２５の長さ寸法を当該引戸パネル１０の戸高寸法の３／４程度の寸法とした例を示している。また、これら補強材２５，２５を、上横枠部１７の下面から最下段の横桟材２１，２２を超えるように設けた例を示しているが、このような態様に限られない。
また、本実施形態では、図３（ａ）、（ｃ）に示すように、戸先側縦桟材２０Ａ及び戸尻側縦桟材２０Ｂのそれぞれに、戸厚方向両側から挟むように一対の補強材２５，２５を取り付けた構成としている。これら一対の補強材２５，２５は、戸厚方向外側に向く各面が各横桟材２１，２２の戸厚方向の各面と略同一平面状となるように設けられている。
また、これら一対の補強材２５，２５に、戸先側縦桟材２０Ａ及び戸尻側縦桟材２０Ｂが嵌め込まれる凹溝２６，２６を互いに向き合う方向に開口するように設けた構成としている。なお、これら戸先側縦桟材２０Ａ及び戸尻側縦桟材２０Ｂに取り付けられた各補強材２５，２５，２５，２５は、互いに同様の構成であるので、以下では、一つを例にとって説明する。
【００２９】
補強材２５は、凹溝２６の底側を区画する底片部２８と、凹溝２６の溝幅方向両側を区画する両側片部２９，２９と、を備えている。これら底片部２８及び両側片部２９，２９は、薄板状とされている。図例では、底片部２８及び両側片部２９，２９の厚さ寸法を互いに略同寸法としている。これら底片部２８及び両側片部２９，２９の厚さ寸法は、強度上の観点や軽量化を図る観点等から適宜の厚さ寸法としてもよく、例えば、０．５ｍｍ〜３．０ｍｍ程度でもよく、好ましくは、１．０ｍｍ〜２．０ｍｍ程度でもよい。
凹溝２６の戸幅方向に沿う溝幅寸法は、縦桟材２０の受け入れが可能なように、縦桟材２０の戸幅方向に沿う幅寸法に応じた寸法とされている。
凹溝２６の戸厚方向に沿う溝深さ寸法は、縦桟材２０の戸厚方向の一部の受け入れが可能なように、縦桟材２０の戸厚方向に沿う寸法の１／２未満の寸法とされている。この凹溝２６の溝深さ寸法は、補強材２５の強度上の観点や軽量化を図る観点等から適宜の寸法としてもよい。例えば、この凹溝２６の溝深さ寸法を、縦桟材２０の戸厚方向に沿う寸法の１／１０〜２／５程度としてもよく、図例では、１／３程度とした例を示している。
【００３０】
また、本実施形態では、図３（ｂ）、（ｃ）に示すように、補強材２５に、縦桟材２０の戸幅方向に隣接する横桟材２１，２２と縦桟材２０とを接合する固着具の止着箇所を露出させる複数の開口２７を長手方向に間隔を空けて設けた構成としている。図例では、縦桟材２０の戸厚方向外側に向く面に沿わせられる底片部２８の戸幅方向両側のそれぞれに開口２７を設けた例を示している。
これら戸幅方向両側の開口２７，２７は、補強材２５の底片部２８を厚さ方向に貫通するように設けられている。これら戸幅方向両側の開口２７，２７は、互いに略同高さに位置するように設けられている。また、これら両側の開口２７，２７を、両側の各側片部２９，２９の底片部２８側縁部を切り欠くように設けた構成としている（図３（ｃ）参照）。
また、これら開口２７，２７は、上記のように戸高方向に間隔を空けて設けられた複数の横桟材２１，２２に応じた個数及び位置となるように設けられている（図１参照）。
なお、補強材２５に、当該補強材２５を縦桟材２０に固定する固着具が挿通される適宜の挿通孔を設けた構成としてもよい。
【００３１】
縦桟材２０の少なくとも補強材２５が取り付けられた部位の戸厚方向に沿う寸法は、図３（ｃ）に示すように、補強材２５の底片部２８の厚さに応じて横桟材２１，２２の戸厚方向に沿う寸法よりも小とされている。また、縦桟材２０の補強材２５が取り付けられていない部位の戸厚方向に沿う寸法は、戸厚方向の各面が各横桟材２１，２２の戸厚方向の各面と略同一平面状となるように横桟材２１，２２の戸厚方向に沿う寸法と略同寸法としてもよい。つまり、縦桟材２０の上側部位の戸厚方向の各面に底片部２８を受け入れる凹段部を設けた構成としてもよい。なお、このような態様に代えて、縦桟材２０の戸厚方向に沿う寸法を全長に亘って一様な寸法としてもよい。この場合は、縦桟材２０の補強材２５が取り付けられていない部位の戸厚方向の各面に適宜のスペーサーを設けた構成等としてもよい。
【００３２】
次に、引戸パネルの一変形例及び他の実施形態に係る引戸パネルの一例について、図面を参照しながら説明する。
なお、以下の変形例及び実施形態では、上記した例との相違点について主に説明し、同様の構成については、同一の符号を付し、その説明を省略または簡略に説明する。
【００３３】
図３（ｄ）、（ｅ）は、第１変形例に係る引戸パネル１０Ａの一例を模式的に示す図である。
本変形例においても戸先側縦桟材２０Ｄ及び戸尻側縦桟材２０Ｅのそれぞれに、互いに同様の構成とされた補強材２５Ａ，２５Ａを取り付けた構成としている。これら補強材２５Ａ，２５Ａは、互いに同様の構成であるので、以下では、一つを例にとって説明し、戸先側縦桟材２０Ｄ及び戸尻側縦桟材２０Ｅを、区別を要しない場合には、縦桟材２０Ｃとして説明する。
本変形例では、補強材２５Ａは、縦桟材２０Ｃが嵌め込まれる凹溝２６Ａを、戸幅方向に開口させた構成とされている。図例では、補強材２５Ａの凹溝２６Ａを、戸幅方向中央側に向けて開口させた構成としている。
【００３４】
また、補強材２５Ａは、凹溝２６Ａの底側を区画する底片部２８Ａと、凹溝２６Ａの溝幅方向両側を区画する両側片部２９Ａ，２９Ａと、を備えている。また、これら両側片部２９Ａ，２９Ａの戸幅方向に沿う寸法を、縦桟材２０Ｃの戸幅方向に沿う寸法よりも小としている。補強材２５Ａの戸幅方向に沿う寸法は、例えば、縦桟材２０Ｃの戸幅方向に沿う寸法の１／２以上としてもよく、好ましくは、２／３以上としてもよい。また、縦桟材２０Ｃの戸厚方向両側の戸幅方向外側部位に、両側片部２９Ａ，２９Ａを受け入れる凹段部を設けた構成としている。縦桟材２０Ｃの戸幅方向中央側部位は、戸厚方向の各面が補強材２５Ａの戸厚方向外側に向く各面と略同一平面状となるように戸厚方向に沿う寸法が戸幅方向外側部位よりも大とされている。
【００３５】
また、補強材２５Ａの両側片部２９Ａ，２９Ａのそれぞれには、底片部２８Ａ側に隣接される横桟材（端部側横桟材）２２と縦桟材２０Ｃとを接合する固着具の止着箇所を露出させる複数の開口２７Ａが設けられている。これら開口２７Ａは、上記と概ね同様、各側片部２９Ａ，２９Ａを厚さ方向に貫通して設けられている。また、これら開口２７Ａは、上記のように戸高方向に間隔を空けて設けられた複数の横桟材２１，２２に応じた個数及び位置となるように設けられている。
なお、本変形例及び上記した例では、補強材２５，２５Ａに、縦桟材２０，２０Ｃが嵌め込まれる凹溝２６，２６Ａを設けた例を示しているが、このような態様に限られない。例えば、補強材２５，２５Ａを、縦桟材２０，２０Ｃの四周の側面のうちの２つの側面に沿うように長手方向に見て略Ｌ字状とされたものや、１つの側面に沿わせられる帯板状とされたものとしてもよい。
【００３６】
図４は、第２実施形態に係る引戸パネル１０Ｂが備えるパネル芯材１５Ｂの一例を模式的に示す図である。なお、図４では、パネル芯材１５Ｂのみを示しているが、上記同様、パネル芯材１５Ｂの少なくともパネル厚さ方向両側には、面材１１，１１が設けられる。
本実施形態では、パネル芯材１５Ｂに、３本の縦桟材２０，２０，２０を設けた構成としている。また、隣り合う縦桟材２０，２０間に架け渡すように、中央側横桟材２１Ａ，２１Ａを設けた例を示している。
【００３７】
また、これら３本の縦桟材２０，２０，２０のうちの２本の縦桟材２０，２０に、補強材２５，２５を取り付けた構成としている。また、戸先側縦桟材２０Ａと戸尻側縦桟材２０Ｂとの間の戸幅方向中央側に設けられた中央側縦桟材２０Ｆ及び戸先側縦桟材２０Ａのそれぞれに補強材２５，２５を取り付けた構成としている。このような構成とすれば、戸幅方向中央部付近から戸先側部位に戸幅方向に間隔を空けて複数の補強材２５，２５が設けられることとなり、開閉操作時に撓み変形し易い戸先側の下端側の戸厚方向への振れをより効果的に抑制することができる。
つまり、本実施形態では、戸尻側縦桟材２０Ｂには、補強材２５を取り付けていない構成としている。この場合は、戸尻側縦桟材２０Ｂの戸厚方向の各面が横桟材２１，２２の戸厚方向の各面と略同一平面状となるように、戸尻側縦桟材２０Ｂの戸厚方向に沿う寸法を全長に亘って横桟材２１，２２の戸厚方向に沿う寸法と略同寸法としてもよい。
【００３８】
また、図例では、戸先側縦桟材２０Ａ及び中央側縦桟材２０Ｆを戸厚方向両側から挟むように補強材２５を取り付けた例を示しているが、上記した第１変形例に係る補強材２５Ａと同様な態様としてもよい。
また、図例では、中央側縦桟材２０Ｆを、パネル芯材１５Ｂの戸幅方向略中央部に設けた例を示しているが、戸先側や戸尻側に片寄らせて設けた構成としてもよい。
なお、上記各例では、補強材２５，２５Ａを、四周枠１６内の縦桟材２０Ａ，２０Ｂ，２０Ｄ，２０Ｅ，２０Ｆに沿わせて設けた例を示しているが、このような態様に代えて、または加えて、戸先側の縦枠部１９に沿わせて設けた構成としてもよい。また、上記各実施形態及び変形例に係る引戸パネル１０，１０Ａ，１０Ｂの上記した各部材及び各部の構成は、一例に過ぎず、その他、種々の変形が可能である。
【符号の説明】
【００３９】
１０，１０Ａ，１０Ｂ  引戸パネル
１１                  面材
１３                  被ガイド部材
１４                  引手部
１５，１５Ａ，１５Ｂ  パネル芯材
２０，２０Ｃ          縦桟材
２０Ａ，２０Ｄ        戸先側縦桟材
２０Ｂ，２０Ｅ        戸尻側縦桟材
２０Ｆ                中央側縦桟材
２３                  ランナー取付下地（被ガイド部材の取付下地）
２４                  引手取付下地（引手部の取付下地）
２５，２５Ａ          補強材
５ａ                  上レール
【図１】
2020180471.tif 000003
【図２】
2020180471.tif 000004
【図３】
2020180471.tif 000005
【図４】
2020180471.tif 000006